(57)【要約】【課題】１の預金口座を便宜上複数Ｎ個の額に区分して管理する区分管理を適用する場合に、その１つの預金口座に対する利息についても区分管理を適用可能とする預金額の区分管理方法、預金管理方法、預金額の区分管理プログラム、預金管理プログラムおよび情報処理装置を提供する。【解決手段】預金額の区分管理方法は、特定の預金口座における預金額をＮ個の額に区分して管理する処理を情報処理装置が実行する。また、預金額の区分管理方法は、特定の預金口座における預金額に預金額に基づいて算出された利息額を組み入れる処理を情報処理装置が実行する。また、預金額の区分管理方法は、利息額に対応する額を区分して管理されるＮ個の額のいずれに組み入れるかの選択を受け付ける処理を情報処理装置が実行する。【選択図】図１
2016126499.tif 000002
【特許請求の範囲】
【請求項１】
特定の預金口座における預金額をＮ個の額に区分して管理し、
前記特定の預金口座における預金額に前記預金額に基づいて算出された利息額を組み入れるとともに、前記利息額に対応する額を区分して管理される前記Ｎ個の額のいずれに組み入れるかの選択を受け付ける、
処理を情報処理装置が実行することを特徴とする預金額の区分管理方法。
【請求項２】
前記Ｎ個の額の区分は、通信回線を介して接続されたコンピュータからの指示に応じて生成される、ことを特徴とする請求項１に記載の預金額の区分管理方法。
【請求項３】
通信回線を介して接続されたコンピュータからの指示に応じて、前記Ｎ個の額の区分のそれぞれに目標金額を設定し、
前記Ｎ個の額の区分のそれぞれにおける追加の増額指示または前記利息額の組み入れによって設定された目標金額に達した区分の検出に応じて所定の描画イベントを発生させる、
ことを特徴とする請求項１に記載の預金額の区分管理方法。
【請求項４】
通信回線を介して接続されたコンピュータからの指示に応じて、前記Ｎ個の額の区分のそれぞれに目標金額と、アイコンとを設定し、
前記Ｎ個の額の区分のそれぞれにおける追加の増額指示または前記利息額の組み入れによって設定された到達目標金額に達した区分が存在する場合に、該区分に設定されたアイコンを用いた所定の表示イベントの発生を許容する、
ことを特徴とする請求項１に記載の預金額の区分管理方法。
【請求項５】
銀行の勘定系システムと通信可能に接続された情報処理システムが、
１の口座と対応付けて、仮想的な１以上の仮想口座を記憶するとともに、１以上の該仮想口座ごとに預金額を対応付けて記憶し、
前記１の口座の預金総額を勘定系システムから受信し、
前記１の口座と対応付けて記憶している１以上の仮想口座の預金額の合計と、前記勘定系システムから受信した前記１の口座の預金総額との差分額を、前記１の口座と対応づけられた、前記１以上の仮想口座とは異なる第二の仮想口座と対応付けて記憶する、
処理を実行することを特徴とする預金管理方法。
【請求項６】
前記情報処理システムが、さらに、
前記第二の仮想口座と対応付けられた額に対する、前記１以上の仮想口座のうちのいずれか１の仮想口座への移動に関する指示を受け付け、
前記指示に示される１の仮想口座と対応付けて記憶している預金額に、前記第二の仮想口座と対応づけられた額を加算するとともに、前記第二の仮想口座の額をゼロに更新する処理を実行することを特徴とする請求項５に記載の預金管理方法。
【請求項７】
１の口座と対応付けられた、仮想的な１以上の仮想口座の個々に１対１に対応付けられたアイコンを、選択的な指定を受付可能な状態で配置するとともに、該１の口座に対する利息額と対応付けた、前記仮想口座と対応付けられたアイコンとは異なる第二のアイコンを配置した画面を生成して出力し、
前記第二のアイコンと、前記仮想口座と対応付けられたアイコンのうちのいずれか１のアイコンとの指定を受け付け、
指定を受け付けた前記１のアイコンと対応付けられた仮想口座の預金額に、前記利息額を加算して更新するとともに、前記第二のアイコンと対応付けられた利息額をゼロに更新する、
処理をコンピュータが実行することを特徴とする預金管理方法。
【請求項８】
特定の預金口座における預金額をＮ個の額に区分して管理し、
前記特定の預金口座における預金額に前記預金額に基づいて算出された利息額を組み入れるとともに、前記利息額に対応する額を区分して管理される前記Ｎ個の額のいずれに組み入れるかの選択を受け付ける、
処理を情報処理装置に実行させることを特徴とする預金額の区分管理プログラム。
【請求項９】
銀行の勘定系システムと通信可能に接続された情報処理システムに、
１の口座と対応付けて、仮想的な１以上の仮想口座を記憶するとともに、１以上の該仮想口座ごとに預金額を対応付けて記憶し、
前記１の口座の預金総額を勘定系システムから受信し、
前記１の口座と対応付けて記憶している１以上の仮想口座の預金額の合計と、前記勘定系システムから受信した前記１の口座の預金総額との差分額を、前記１の口座と対応づけられた、前記１以上の仮想口座とは異なる第二の仮想口座と対応付けて記憶する、
処理を実行させることを特徴とする預金管理プログラム。
【請求項１０】
１の口座と対応付けられた、仮想的な１以上の仮想口座の個々に１対１に対応付けられたアイコンを、選択的な指定を受付可能な状態で配置するとともに、該１の口座に対する利息額と対応付けた、前記仮想口座と対応付けられたアイコンとは異なる第二のアイコンを配置した画面を生成して出力し、
前記第二のアイコンと、前記仮想口座と対応付けられたアイコンのうちのいずれか１のアイコンとの指定を受け付け、
指定を受け付けた前記１のアイコンと対応付けられた仮想口座の預金額に、前記利息額を加算して更新するとともに、前記第二のアイコンと対応付けられた利息額をゼロに更新する、
処理をコンピュータに実行させることを特徴とする預金管理プログラム。
【請求項１１】
特定の預金口座における預金額をＮ個の額に区分して管理する管理部と、
前記特定の預金口座における預金額に前記預金額に基づいて算出された利息額を組み入れるとともに、前記利息額に対応する額を区分して管理される前記Ｎ個の額のいずれに組み入れるかの選択を受け付ける受付部と、
を有することを特徴とする情報処理装置。
【請求項１２】
銀行の勘定系システムと通信可能に接続された情報処理装置であって、
１の口座の預金総額を勘定系システムから受信する取得部と、
前記１の口座と対応付けて、仮想的な１以上の仮想口座を記憶するとともに、１以上の該仮想口座ごとに預金額を対応付けて記憶している記憶部における、前記１以上の仮想口座の預金額の合計と、前記勘定系システムから受信した前記１の口座の預金総額との差分額を、前記１の口座と対応づけられた、前記１以上の仮想口座とは異なる第二の仮想口座と対応付けて記憶する差分算出部と、
を有することを特徴とする情報処理装置。
【請求項１３】
１の口座と対応付けられた、仮想的な１以上の仮想口座の個々に１対１に対応付けられたアイコンを、選択的な指定を受付可能な状態で配置するとともに、該１の口座に対する利息額と対応付けた、前記仮想口座と対応付けられたアイコンとは異なる第二のアイコンを配置した画面を生成して出力する出力制御部と、
前記第二のアイコンと、前記仮想口座と対応付けられたアイコンのうちのいずれか１のアイコンとの指定を受け付ける受付部と、
指定を受け付けた前記１のアイコンと対応付けられた仮想口座の預金額に、前記利息額を加算して更新するとともに、前記第二のアイコンと対応付けられた利息額をゼロに更新する更新部と、
を有することを特徴とする情報処理装置。
【発明の詳細な説明】
【技術分野】
【０００１】
本発明は、預金額の区分管理方法、預金管理方法、預金額の区分管理プログラム、預金管理プログラムおよび情報処理装置に関する。
【背景技術】
【０００２】
近年、金融機関では、インターネットバンキング（以下、ＩＢという）による取引が行われている。ＩＢによる取引では、例えば、振込、残高照会、定期預金への預入等の取引を行うことができる。また、１つの口座に対して複数の仮想口座を設定し、各仮想口座を使用することが提案されている。
【先行技術文献】
【特許文献】
【０００３】
【特許文献１】特開２００２−３３４２１０号公報
【発明の概要】
【発明が解決しようとする課題】
【０００４】
しかしながら、１つの口座に対して複数の仮想口座を設定し、仮想口座ごとに利息を算出すると、１つの口座に対して複数回の利息算出処理が発生する。このため、利盛日の夜間にバッチ処理で行われる利息算出処理が、金融機関の業務開始時刻までに完了せず、金融機関の業務開始に影響を及ぼす場合がある。
【０００５】
一つの側面では、本発明は、１の預金口座を便宜上複数Ｎ個の額に区分して管理する区分管理を適用する場合に、その１つの預金口座に対する利息についても区分管理を適用可能とする預金額の区分管理方法、預金管理方法、預金額の区分管理プログラム、預金管理プログラムおよび情報処理装置を提供することにある。
【課題を解決するための手段】
【０００６】
一つの態様では、預金額の区分管理方法は、特定の預金口座における預金額をＮ個の額に区分して管理する処理を情報処理装置が実行する。また、預金額の区分管理方法は、前記特定の預金口座における預金額に前記預金額に基づいて算出された利息額を組み入れる処理を情報処理装置が実行する。また、預金額の区分管理方法は、前記利息額に対応する額を区分して管理される前記Ｎ個の額のいずれに組み入れるかの選択を受け付ける処理を情報処理装置が実行する。
【発明の効果】
【０００７】
１の預金口座を便宜上複数Ｎ個の額に区分して管理する区分管理を適用する場合に、その１つの預金口座に対する利息についても区分管理を適用できる。
【図面の簡単な説明】
【０００８】
【図１】図１は、実施例の処理システムの構成の一例を示すブロック図である。
【図２】図２は、仮想口座記憶部の一例を示す図である。
【図３】図３は、初期画面の一例を示す図である。
【図４】図４は、設定画面の一例を示す図である。
【図５】図５は、設定画面の他の一例を示す図である。
【図６】図６は、設定画面の他の一例を示す図である。
【図７】図７は、設定画面の他の一例を示す図である。
【図８】図８は、指示画面の一例を示す図である。
【図９】図９は、設定画面の他の一例を示す図である。
【図１０】図１０は、設定画面の他の一例を示す図である。
【図１１】図１１は、イベント画面の一例を示す図である。
【図１２】図１２は、イベント画面の他の一例を示す図である。
【図１３】図１３は、元帳記憶部の一例を示す図である。
【図１４】図１４は、実施例の設定処理の一例を示すフローチャートである。
【図１５】図１５は、実施例の利息算出処理の一例を示すフローチャートである。
【図１６】図１６は、実施例の組み入れ処理の一例を示すフローチャートである。
【図１７】図１７は、管理プログラムを実行するコンピュータの一例を示す図である。
【発明を実施するための形態】
【０００９】
以下、図面に基づいて、本願の開示する預金額の区分管理方法、預金管理方法、預金額の区分管理プログラム、預金管理プログラムおよび情報処理装置の実施例を詳細に説明する。なお、本実施例により、開示技術が限定されるものではない。また、以下の実施例は、矛盾しない範囲で適宜組みあわせてもよい。
【実施例】
【００１０】
図１は、実施例の処理システムの構成の一例を示すブロック図である。図１に示す処理システム１は、クライアント端末１０と、運用管理端末２０と、情報処理システム２と、勘定系システム３とを有する。情報処理システム２は、１つ以上のＩＢサーバ１００を有する。勘定系システム３は、１つ以上の勘定系サーバ２００を有する。以下の説明では、情報処理システム２の具体例としてＩＢサーバ１００を用いて説明する。また、以下の説明では、勘定系システム３の具体例として勘定系サーバ２００を用いて説明する。
【００１１】
クライアント端末１０およびＩＢサーバ１００の間は、ネットワークＮを介して相互に通信可能に接続される。かかるネットワークＮには、有線または無線を問わず、インターネット（Internet）を始め、ＬＡＮ（Local  Area  Network）やＶＰＮ（Virtual  Private  Network）などの任意の種類の通信網を採用できる。また、運用管理端末２０は、ＩＢサーバ１００と接続される。さらに、ＩＢサーバ１００および勘定系サーバ２００は、例えば実質的に一つの組織に管理されて運用される。組織の一例として、銀行が挙げられる。ＩＢサーバ１００は、運用管理端末２０および勘定系サーバ２００と接続される。ＩＢサーバ１００と運用管理端末２０および勘定系サーバ２００との間は、例えば、組織の外部との通信が遮断されたイントラネット（Intranet）を始め、ＬＡＮやＶＰＮなどの任意の種類の通信網を採用できる。
【００１２】
図１に示す情報処理システム２のＩＢサーバ１００は、例えば、特定の預金口座における預金額をＮ個の額に区分して管理する。言い換えると、ＩＢサーバ１００は、例えば、貯蓄預金口座における預金額を、貯蓄の目的に応じたＮ個の貯金箱に区分して管理する。ＩＢサーバ１００は、特定の預金口座における預金額に、預金額に基づいて算出された利息額を組み入れる。ＩＢサーバ１００は、利息額に対応する額を区分して管理されるＮ個の額のいずれに組み入れるかの選択を受け付ける。言い換えると、ＩＢサーバ１００は、例えば、貯蓄預金口座の預金総額に応じた利息を、いずれの貯金箱に組み入れるかの選択を受け付ける。これにより、ＩＢサーバ１００は、１の預金口座を便宜上複数Ｎ個の額に区分して管理する区分管理を適用する場合に、その１つの預金口座に対する利息についても区分管理を適用可能とする。また別の側面では、Ｎ個に区分された仮想口座ごとに利息額を算出することはないので、預金額を複数に区分したときでも利息の算出処理に関わる負荷を増加させる必要を生じさせない。
【００１３】
クライアント端末１０は、例えば、ＩＢの顧客、すなわちユーザが用いるコンピュータである。クライアント端末１０は、ＩＢサーバ１００から受信したＩＢの各種画面等を表示させて、ユーザに提示する。クライアント端末１０は、ＩＢの各種画面等の表示および操作について、例えば、Ｗｅｂブラウザを用いることができる。クライアント端末１０は、初期設定情報、預け入れ情報、組み入れ指示、増額指示等をＩＢサーバ１００に送信する。クライアント端末１０の一例としては、可搬型のパーソナルコンピュータを採用できる。クライアント端末１０には、上記のパーソナルコンピュータ等の可搬型の端末のみならず、据置型のパーソナルコンピュータをクライアント端末１０として採用することもできる。また、クライアント端末１０は、可搬型の端末としては、上記のパーソナルコンピュータの他にも、例えば、タブレット端末、スマートフォン、携帯電話機やＰＨＳ（Personal  Handyphone  System）等の移動体通信端末等を採用することもできる。
【００１４】
運用管理端末２０は、例えば、金融機関におけるＩＢの運用管理者が用いるコンピュータである。運用管理端末２０は、ＩＢサーバ１００から受信した管理画面等を表示させて、運用管理者に提示する。運用管理端末２０は、管理画面等の表示および操作について、例えば、Ｗｅｂブラウザを用いることができる。運用管理端末２０は、管理情報等をＩＢサーバ１００に送信する。運用管理端末２０の一例としては、据置型のパーソナルコンピュータを採用できる。運用管理端末２０には、上記のパーソナルコンピュータ等の据置型の端末のみならず、可搬型のパーソナルコンピュータを運用管理端末２０として採用することもできる。また、運用管理端末２０は、可搬型の端末としては、上記の可搬型のパーソナルコンピュータの他にも、例えば、タブレット端末、スマートフォン、携帯電話機やＰＨＳ等の移動体通信端末等を採用することもできる。
【００１５】
次に、ＩＢサーバ１００の構成について説明する。図１に示すように、ＩＢサーバ１００は、第１通信部１１０と、第２通信部１１１と、記憶部１２０と、制御部１３０とを有する。なお、ＩＢサーバ１００は、図１に示す機能部以外にも既知のコンピュータが有する各種の機能部、例えば各種の入力デバイスや音声出力デバイス等の機能部を有することとしてもかまわない。
【００１６】
第１通信部１１０は、例えば、ＮＩＣ（Network  Interface  Card）等によって実現される。第１通信部１１０は、ネットワークＮを介してクライアント端末１０と有線または無線で接続され、クライアント端末１０との間で情報の通信を司る通信インタフェースである。第１通信部１１０は、クライアント端末１０から初期設定情報、預け入れ情報、組み入れ指示および増額指示を受信する。第１通信部１１０は、受信した初期設定情報、預け入れ情報、組み入れ指示および増額指示を制御部１３０に出力する。また、第１通信部１１０は、制御部１３０から入力された初期画面、設定画面、指示画面およびイベント画面をクライアント端末１０に送信する。
【００１７】
第２通信部１１１は、例えば、ＮＩＣ等によって実現される。第２通信部１１１は、運用管理端末２０および勘定系サーバ２００と有線または無線で接続され、運用管理端末２０および勘定系サーバ２００との間で情報の通信を司る通信インタフェースである。第２通信部１１１は、制御部１３０から入力された管理画面等を運用管理端末２０に送信する。また、第２通信部１１１は、運用管理端末２０から管理情報を受信し、受信した管理情報を制御部１３０に出力する。さらに、第２通信部１１１は、制御部１３０から入力された照会情報および取引情報を勘定系サーバ２００に送信する。また、第２通信部１１１は、勘定系サーバ２００から口座情報および完了情報を受信し、受信した口座情報および完了情報を制御部１３０に出力する。
【００１８】
記憶部１２０は、例えば、ＲＡＭ（Random  Access  Memory）、フラッシュメモリ（Flash  Memory）等の半導体メモリ素子、ハードディスクや光ディスク等の記憶装置によって実現される。記憶部１２０は、仮想口座記憶部１２１を有する。また、記憶部１２０は、制御部１３０での処理に用いる情報を記憶する。
【００１９】
仮想口座記憶部１２１は、貯蓄預金の残高と複数の貯金箱と利息額とを記憶する。図２は、仮想口座記憶部の一例を示す図である。図２に示すように、仮想口座記憶部１２１は、「顧客番号」、「取引店」、「口座番号」、「貯蓄預金残高」、「貯金箱」といった項目を有する。また、「貯金箱」は、例えば貯金箱Ｃ１〜Ｃ６のように複数の貯金箱であり、それぞれ「残高」、「目標」、「目標金額」、「目標期限」といった項目を有する。仮想口座記憶部１２１は、例えば、１つの口座番号ごとに１レコードとして記憶する。
【００２０】
「顧客番号」は、顧客を識別する。すなわち、顧客番号は、ＩＢを利用するクライアント端末１０のユーザを識別する。「取引店」は、商品である貯蓄預金が取引された営業店を示す。「口座番号」は、商品である貯蓄預金の口座番号を示す。「貯蓄預金残高」は、貯蓄預金の残高、すなわち預入金額を示す。「貯金箱」は、貯蓄預金口座内に設けられた仮想口座を示す。貯金箱の「残高」は、貯金箱それぞれの残高、すなわち預入金額を示す。貯金箱の「目標」は、ユーザが設定した貯金箱に貯蓄する目標を示す。貯金箱の「目標金額」は、ユーザが設定した貯金箱に貯蓄する目標の金額を示す。貯金箱の「目標期限」は、ユーザが設定した目標金額を貯蓄する期限を示す。例えば、貯蓄預金残高から各貯金箱の残高合計を差し引くことで、利息額を算出することができる。
【００２１】
図１の説明に戻って、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。制御部１３０は、受付部１３１と、管理部１３２と、取得部１３３と、差分算出部１３４と、更新部１３５と、出力制御部１３６とを有し、以下に説明する情報処理の機能や作用を実現または実行する。なお、制御部１３０の内部構成は、図１に示した構成に限られず、後述する情報処理を行う構成であれば他の構成であってもよい。
【００２２】
受付部１３１は、クライアント端末１０からＩＢのログインを受け付ける。受付部１３１は、ログイン後にＩＢの初期画面を第１通信部１１０およびネットワークＮを介して、クライアント端末１０に送信する。受付部１３１は、ユーザによるＩＢの初期画面の操作によって、貯金箱が選択されると、貯金箱の初期画面をクライアント端末１０に送信する。受付部１３１は、クライアント端末１０から貯金箱の初期画面における初期設定情報を受信する。受付部１３１は、受信した初期設定情報を管理部１３２に出力する。なお、貯金箱の口座である貯蓄預金口座は、特定の預金口座の一例である。また、受付部１３１は、既に貯金箱が設定された貯蓄預金口座が開設されている場合には、貯金箱の初期画面の代わりに、設定画面をクライアント端末１０に送信するように管理部１３２に指示する。
【００２３】
また、受付部１３１は、クライアント端末１０から、貯金箱への預け入れに関する指示を受信する。そして、該指示に示される預け入れ額を、管理部１３２へ出力する。管理部１３２は、該預け入れ額を、普通預金口座から貯蓄預金口座へ振り替えるための処理を行なう。
【００２４】
ここで、図３を用いて貯金箱の初期画面について説明する。図３は、初期画面の一例を示す図である。図３に示す初期画面３１は、例えば、貯蓄預金口座を開設する場合に、すなわち初めて貯金箱を開設する場合に、最初にクライアント端末１０に表示される画面である。初期画面３１には、例えば、貯蓄預金口座の預金総額と利息などが表示される貯蓄預金欄３２、および、仮想口座である貯金箱が未設定であることを示すアイコン３３ａ〜３３ｆが表示される。また、初期画面３１には、例えば、貯金箱の設定を開始するボタン３４ａ〜３４ｆ、および、利息を示すアイコン３５が表示される。なお、以下の説明では、アイコン３３ａ〜３３ｆを区別しないときはアイコン３３と表し、ボタン３４ａ〜３４ｆを区別しないときはボタン３４と表す。貯蓄預金口座を開設する時点、すなわち初めて貯金箱を開設する時点では、当然ながら、いずれの貯金箱に対する預金額もゼロ円であり、その合計である貯蓄預金口座の預金額もゼロ円である。いずれかの貯金箱に対して預け入れを開始することは、貯蓄預金口座への預け入れを開始することを、貯金箱への預け入れ額を増額することは、貯蓄預金口座への預け入れ額を増額することを意味する。換言すれば、貯蓄預金口座の預金額は、いずれかの貯金箱へ預け入れが開始される、または預け入れ額が増額される、または、貯蓄預金口座の預金額に対する利息が入金されることのいずれかにより増加されることになる。
【００２５】
受付部１３１は、クライアント端末１０で表示された初期画面３１において、例えば、ボタン３４ｂが押下されると、貯金箱の初期設定画面を表示させる。初期設定画面では、目標と、目標金額と、目標期限とが入力される。初期画面３１では、同様に、他のボタン３４ａ，３４ｃ〜３４ｆに対応する初期設定画面についても、目標と、目標金額と、目標期限とが入力される。受付部１３１は、初期画面３１で入力された各情報を初期設定情報として、クライアント端末１０から受信する。
【００２６】
管理部１３２は、受付部１３１から初期設定情報が入力されると、貯蓄預金口座内にＮ個の仮想口座、すなわち貯金箱を生成する。貯金箱は、例えば、図２に示す貯金箱Ｃ１〜Ｃ６に対応する。なお、貯金箱の数は、１つ以上の任意の数であればよい。管理部１３２は、初期設定情報に基づいて、各貯金箱に目標と、目標金額と、目標期限とを設定する。また、管理部１３２は、目標に応じたアイコンを設定する。管理部１３２は、初期設定情報を反映した貯金箱が含まれる設定画面を生成し、生成した設定画面をクライアント端末１０に送信する。
【００２７】
なお、管理部１３２には、取得部１３３からユーザが開設済みの口座情報が入力される。管理部１３２には、口座情報として、普通預金口座の情報が入力される。なお、管理部１３２は、既に貯蓄預金口座が開設されている、すなわち、いずれかの貯金箱に対していくらかの預金がなされている場合には、仮想口座記憶部１２１を参照し、貯金箱が設定され、該貯金箱に対して預金がされている旨を示す当該貯蓄預金口座の設定画面をクライアント端末１０に送信する。ここで、管理部１３２は、当該貯蓄預金口座に利息額がある場合には、当該利息額を反映させた設定画面をクライアント端末１０に送信する。
【００２８】
管理部１３２は、受付部１３１からいずれかの貯金箱に対する預け入れ額を含む預金の指示が入力されると、該預け入れ額に示される額を、勘定系サーバ２００と連携して、普通預金口座から貯蓄預金口座へ振り替える処理を行なう。そして管理部１３２は、普通預金口座から貯蓄預金口座への振り替え処理が完了したことを確認できた場合に、貯金箱への預け入れを示す取引情報を反映した仮想口座記憶部１２１の内容を確定させる。また、管理部１３２は、貯金箱に預け入れ額が預金された状態を反映した設定画面をクライアント端末１０に送信する。なお、各貯金箱への預け入れの処理は、貯金箱ごとに個別に行なってもよいし、一括して複数の貯金箱への預け入れの処理を行なっても構わない。
【００２９】
ここで、図４を用いて初期設定情報を反映した設定画面について説明する。図４は、設定画面の一例を示す図である。図４に示す設定画面３６は、例えば、貯金箱が５つ設定された状態を示す画面である。また、初期設定情報は、例えば図２の１行目に示すように、貯金箱Ｃ１は未設定、貯金箱Ｃ２は、目標「靴」、目標金額「５万円」、目標期限「２０１４年１２月３１日」と設定される。貯金箱Ｃ３は、目標「車」、目標金額「７００万円」、目標期限「２０１５年９月３０日」と設定され、貯金箱Ｃ４は、目標「家」、目標金額「１２００万円」、目標期限「２０１４年９月３０日」と設定される。貯金箱Ｃ５は、目標「旅行」、目標金額「２５０万円」、目標期限「２０１５年１０月３１日」と設定され、貯金箱Ｃ６は、目標「家具」、目標金額「１５０万円」、目標期限「２０１５年９月３０日」と設定される。貯金箱に対する目標や目標金額、目標期限の設定がされても、貯金箱に対する預け入れの処理が行なわれるまでは、貯金箱に対応する預金額はゼロ円のままである。すなわち、貯蓄預金口座の預金額もゼロ円のままである。
【００３０】
設定画面３６には、初期画面３１と同様に、貯蓄預金欄３２および利息を示すアイコン３５が表示される。また、設定画面３６には、未設定の貯金箱Ｃ１を示すアイコン３３ａおよびボタン３４ａと、設定済みの貯金箱Ｃ２〜Ｃ６を示すアイコン３７ｂ〜３７ｆが表示される。さらに、設定画面３６には、貯金箱Ｃ２〜Ｃ６にそれぞれの目標に応じたアイコン３８ｂ〜３８ｆと、貯金箱Ｃ２〜Ｃ６のそれぞれに貯金を行うボタン３９ｂ〜３９ｆと、貯金箱Ｃ２〜Ｃ６のそれぞれの設定を編集するボタン４０ｂ〜４０ｆとが表示される。なお、図中では、貯金箱Ｃ２〜Ｃ６のそれぞれの目標に応じたアイコン３８ｂ〜３８ｆは、例えば「靴」「車」等のテキストで表現されている。また、設定画面３６には、貯金箱Ｃ２〜Ｃ６のそれぞれについて貯蓄を中止するための貯金をやめるボタン４１ｂ〜４１ｆが表示される。なお、アイコン３７ｂ〜３７ｆは、例えば、コーヒーのドリップ容器を模したアイコンとし、貯金箱の残高に応じてコーヒーがドリップされ、貯金箱の残高が一目で判別できるようになっている。また、以下の説明では、アイコン３８ｂ〜３８ｆを区別しないときはアイコン３８と表し、ボタン３９ｂ〜３９ｆを区別しないときはボタン３９と表す。また、以下の説明では、ボタン４０ｂ〜４０ｆを区別しないときはボタン４０と表し、ボタン４１ｂ〜４１ｆを区別しないときはボタン４１と表す。
【００３１】
次に、図５を用いて各貯金箱に預け入れがなされた状態の設定画面について説明する。図５は、設定画面の他の一例を示す図である。図５に示す設定画面４２は、例えば、それぞれの貯金箱にそれぞれの額が預け入れされた結果、預け入れ額の合計である２千万円が普通預金口座から貯蓄預金口座に振り替えられた状態を示す画面である。設定画面４２には、初期画面３１と同様に、貯蓄預金欄３２および利息を示すアイコン３５が表示される。設定画面４２の貯蓄預金欄３２には、振り替えられた２千万円が表示される。
【００３２】
貯蓄預金口座の預金額（残高）である２千万円は、貯金箱に対する預け入れの指示に応じて、貯金箱Ｃ２〜Ｃ６に振り分けて管理されている。管理部１３２は、例えば、貯金箱への預け入れ指示に応じて、貯金箱Ｃ２に０円、貯金箱Ｃ３に５００万円、貯金箱Ｃ４に１１９９万円、貯金箱Ｃ５に２０１万円、貯金箱Ｃ６に１００万円を振り分けて管理する。ここで、上述した通り、それぞれの貯金箱に対する振り分けの処理は、１回の処理につき１つの貯金箱に対して行なってもよい。なお、管理部１３２は、貯金箱Ｃ１は未設定であるので預金額を振り分けない。管理部１３２は、設定画面４２において、貯金箱Ｃ２〜Ｃ６に振り分けられた金額と、貯金箱Ｃ２〜Ｃ６に設定された目標金額とに応じて、アイコン３７ｂ〜３７ｆをコーヒーの残量に応じた絵に変化させる。例えば、貯金箱に設定された目標金額に対して、該貯金箱に振り分けられた額の割合が多くなるほど、コーヒーの残量が多くなる絵に変化させる。なお、アイコン３７は、目標金額と目標期限とに応じて、予定通り貯蓄されていない場合には、例えば、煮詰まった状態を示す絵とする等、アイコンを変化させてもよい。
【００３３】
図６は、設定画面の他の一例を示す図である。図６に示す設定画面４３は、貯金箱に対する預け入れが完了した状態の設定画面において、ユーザによりアイコン３７ｄがクリックされた状態を示す画面である。設定画面４３では、ユーザによりアイコン３７ｄがクリックされると、アイコン３７ｄに対応する貯金箱Ｃ４の情報が詳細表示欄４４に表示される。詳細表示欄４４には、例えば、目標期限と、現在の預金額と、目標金額と、目標金額に対する現在の預金額の比率とが表示される。
【００３４】
図１の説明に戻って、取得部１３３は、勘定系サーバ２００からユーザの口座情報を取得する。取得部１３３は、受付部１３１がクライアント端末１０からＩＢのログインを受け付けると、ログインしたユーザが開設済みの口座情報を照会する照会情報を、第２通信部１１１を介して勘定系サーバ２００に送信する。取得部１３３は、第２通信部１１１を介して勘定系サーバ２００から照会情報に対応する口座情報を受信する。取得部１３３は、受信した口座情報を管理部１３２に出力する。また、取得部１３３は、受信した口座情報のうち、貯蓄預金口座の残高を差分算出部１３４に出力する。
【００３５】
差分算出部１３４は、取得部１３３から貯蓄預金口座の残高が入力されると、仮想口座記憶部１２１から貯蓄預金残高、すなわち、仮想口座である各貯金箱Ｃ１〜Ｃ６の預金額の合計を取得する。差分算出部１３４は、仮想口座の預金額の合計と、取得部１３３から入力された貯蓄預金口座の残高、すなわち、勘定系サーバ２００から受信した貯蓄預金口座の預金総額との差分額を算出する。差分算出部１３４は、算出した差分額を、仮想口座記憶部１２１の当該貯蓄預金口座に対応する利息額、つまり利息の仮想口座に記憶する。すなわち、貯蓄預金口座の利息額は、貯蓄預金口座の預金額総額に基づいて算出され、勘定系サーバ２００で利盛日などの所定日に入金されることで貯蓄預金口座の残高に反映されるので、ＩＢサーバ１００の仮想口座記憶部１２１の仮想口座の預金額の合計との間で差分が生じる。当該差分は、すなわち利息額に相当する。言い換えると、利息額は、仮想口座の操作、普通預金口座から貯蓄預金口座への振替操作等のユーザによる操作以外で増加した金額である。これにより、差分算出部１３４は、利息額を算出することができる。なお、利息の仮想口座は、各貯金箱に対応する仮想口座とは異なる第二の仮想口座である。
【００３６】
ここで、図７および図８を用いて利息が入金された状態の設定画面について説明する。図７は、設定画面の他の一例を示す図である。また、図８は、指示画面の一例を示す図である。図７に示す設定画面４５は、利息が入金された状態の設定画面の一例を示す。管理部１３２は、設定画面４５において、アイコン３５を利息額があることを示すアイコン３５ａに変化させる。また、管理部１３２は、設定画面４５において、貯蓄預金欄３２に利息額を表示させる。なお、設定画面４５では、アイコン３３ａ、ボタン３４ａ、アイコン３７、３８、ボタン３９〜４１は、例えば、図５に示す設定画面４２と同様とする。
【００３７】
管理部１３２は、設定画面４５において、アイコン３５ａがクリックされると、図８に示す指示画面４６を、第１通信部１１０およびネットワークＮを介してクライアント端末１０に送信する。指示画面４６には、アイコン３５ａのクリックに応じて指示欄４７が表示される。指示欄４７には、利息の振り分け先として、貯金箱Ｃ２〜Ｃ６に対応する目標を示すボタンと、振り分けないボタンとが表示される。なお、指示画面４６では、貯蓄預金欄３２、アイコン３３ａ、ボタン３４ａ、アイコン３７、３８、ボタン３９〜４１は、例えば、図７に示す設定画面４５と同様とする。受付部１３１は、例えば、指示画面４６の指示欄４７に表示された目標を示すボタンとして、貯金箱Ｃ３に対応する目標「車」が選択されると、クライアント端末１０から利息額を貯金箱Ｃ３に組み入れる組み入れ指示として受信して受け付ける。
【００３８】
図１の説明に戻って、更新部１３５は、受付部１３１から組み入れ指示または増額指示が入力されると、組み入れ指示または増額指示に応じた金額を、対応する貯金箱に入金する。すなわち、更新部１３５は、受付部１３１から組み入れ指示が入力されると、仮想口座記憶部１２１の利息額を、組み入れ指示で指定された貯金箱に入金することで、仮想口座記憶部１２１の情報を更新する。つまり、更新部１３５は、貯金箱である仮想口座に利息額を加算する。更新部１３５は、利息額の貯金箱への入金が完了すると、仮想口座記憶部１２１の利息額、すなわち利息の仮想口座の残高をゼロにする。また、更新部１３５は、受付部１３１から増額指示が入力されると、増額指示で指定された金額を勘定系サーバ２００と連携して普通預金口座から貯蓄預金口座に振り替えて、増額指示で指定された貯金箱に入金することで、仮想口座記憶部１２１の情報を更新する。なお、この説明においては、貯金箱に対する最初の入金指示を預け入れの指示、２回目以後の預け入れの指示を増額指示と区別して表現している。しかし、いずれも貯金箱に対する預け入れの処理であることに変わりはなく、両方のことを指してまとめて預け入れ指示と表現しても増額指示と表現しても構わない。
【００３９】
また、更新部１３５は、利息額または増額分の入金に基づいて、目標金額に達した仮想口座があるか否かを判定する。更新部１３５は、目標金額に達した仮想口座がある場合には、設定画面で目標金額に達した旨を表示させた後に、出力制御部１３６にイベント情報を出力する。更新部１３５は、目標金額に達した仮想口座がない場合には、利息額または増額分の入金に応じて設定画面を更新する。
【００４０】
図９は、設定画面の他の一例を示す図である。図９に示す設定画面４８は、例えば、利息額を目標が「車」である貯金箱Ｃ３に入金したが目標金額には達していない状態を示す画面である。設定画面４８は、設定画面４５と比べて、貯蓄預金欄３２の利息額が消え、貯金箱Ｃ３に対応するアイコン３７ｃのコーヒーの量が増加している。
【００４１】
図１０は、設定画面の他の一例を示す図である。図１０に示す設定画面４９は、例えば、利息額を目標が「家」である貯金箱Ｃ４に入金し、目標金額に達した状態を示す画面である。設定画面４９は、設定画面４５と比べて、貯蓄預金欄３２の利息額が消え、貯金箱Ｃ４に対応するアイコン３７ｄのコーヒーの量が満杯になり、目標金額を達成したことを示すメッセージ５０が表示される。
【００４２】
図１の説明に戻って、出力制御部１３６は、更新部１３５からイベント情報が入力されると、所定の描画イベントを発生させる。出力制御部１３６は、所定の描画イベントに対応する第１イベント画面を、第１通信部１１０およびネットワークＮを介してクライアント端末１０に送信する。また、出力制御部１３６は、第１イベント画面の送信後に、貯金箱Ｃ１〜Ｃ６に設定されたアイコンを用いた所定の表示イベントを発生させる。なお、図示しないが、各貯金箱と対応付けて、貯金箱それぞれの目標に応じたアイコンが記憶されているものとする。出力制御部１３６は、所定の表示イベントに対応する第２イベント画面を、第１通信部１１０およびネットワークＮを介してクライアント端末１０に送信する。
【００４３】
図１１は、イベント画面の一例を示す図である。図１１に示すイベント画面５１は、所定の描画イベントに対応する第１イベント画面の一例である。イベント画面５１は、例えば、利息額を目標が「家」である貯金箱Ｃ４に入金し、目標金額に達した設定画面４９の後に表示される。イベント画面５１には、例えば、貯蓄預金欄３２と、貯金箱Ｃ４の目標である「家」に対応するコーヒーカップ５２とが表示され、ドリップ容器からコーヒーカップ５２にコーヒーが注がれる。なお、イベント画面５１は、例えば、人物がコーヒーを注ぐアニメーションで表現される。
【００４４】
図１２は、イベント画面の他の一例を示す図である。図１２に示すイベント画面５３は、所定の表示イベントに対応する第２イベント画面の一例である。イベント画面５３は、例えば、イベント画面５１の後に表示される。イベント画面５３には、例えば、貯蓄預金欄３２およびアイコン３５等が表示された設定画面上に、コーヒーカップ５４が重畳表示される。また、コーヒーカップ５４の液面には、目標金額に達した貯金箱の目標に対応するアイコンが描かれる。イベント画面５３の例では、貯金箱Ｃ４の目標「家」に対応するアイコン５５が描かれる。なお、イベント画面５３は、例えば、イベント画面５１のコーヒーカップ５２が拡大されて、視点が側面から上面に変化するアニメーションで表現される。
【００４５】
続いて、勘定系サーバ２００の構成について説明する。図１に示すように、勘定系サーバ２００は、通信部２１０と、記憶部２２０と、制御部２３０とを有する。なお、勘定系サーバ２００は、図１に示す機能部以外にも既知のコンピュータが有する各種の機能部、例えば各種の入力デバイスや音声出力デバイス等の機能部を有することとしてもかまわない。
【００４６】
通信部２１０は、例えば、ＮＩＣ等によって実現される。通信部２１０は、ＩＢサーバ１００と有線または無線で接続され、ＩＢサーバ１００との間で情報の通信を司る通信インタフェースである。通信部２１０は、ＩＢサーバ１００から照会情報および取引情報を受信する。通信部２１０は、受信した照会情報および取引情報を制御部２３０に出力する。また、通信部２１０は、制御部２３０から入力された口座情報および完了情報をＩＢサーバ１００に送信する。
【００４７】
記憶部２２０は、例えば、ＲＡＭ、フラッシュメモリ等の半導体メモリ素子、ハードディスクや光ディスク等の記憶装置によって実現される。記憶部２２０は、元帳記憶部２２１を有する。また、記憶部２２０は、制御部２３０での処理に用いる情報を記憶する。
【００４８】
元帳記憶部２２１は、顧客の取引に関する情報、例えば、普通預金口座、定期預金口座、貯蓄預金口座等の情報を記憶する。元帳記憶部２２１は、例えば、ＣＩＦ（Customer  Information  File：顧客情報ファイル）を用いて、取引のある顧客の情報と、顧客が保有する口座の情報とを営業店ごとに一元管理する。元帳記憶部２２１は、例えば、ＣＩＦ内に、ＣＩＲ（Customer  Information  Record：顧客情報レコード）と、ＭＲ（Master  Record：口座情報レコード）とを有する。ＣＩＲは、顧客の氏名、住所、電話番号等の情報を記憶する。ＭＲは、口座番号、残高等を記憶する。勘定系サーバ２００は、例えば、元帳記憶部２２１に記憶されている各口座の情報に基づいて、利息の計算を行なったり、満期の管理を行なったりする。
【００４９】
図１３は、元帳記憶部の一例を示す図である。図１３の元帳記憶部２２１は、説明のために、ある顧客のＭＲを抜き出して、商品ごとに１レコードとして表現したものである。図１３に示すように、元帳記憶部２２１は、「顧客番号」、「商品名」、「取引店」、「口座番号」、「預入金額」、「期間」、「金利」、「満期の取扱」、「利息の取扱」、「課税方式」、「預入日」、「満期日」といった項目を有する。
【００５０】
「顧客番号」は、顧客を識別する。「商品名」は、金融商品の商品名を示し、例えば、スーパー定期預金、貯蓄預金等が挙げられる。「取引店」は、商品が取引された営業店を示す。「口座番号」は、商品の口座番号を示す。「預入金額」は、商品の預入金額、すなわち残高を示す。「期間」は、商品の預入期間を示す。「金利」は、商品の金利を示し、例えば、年利率、税引前の金利である。「満期の取扱」は、商品が預入期間を経過して満期となった場合の商品の取扱を示す。満期の取扱は、例えば、自動継続、解約等がある。
【００５１】
「利息の取扱」は、商品が預入期間を経過して満期となった場合の利息の取扱を示す。利息の取扱は、例えば、満期の取扱が自動継続である場合には、元利継続、元本継続等が挙げられる。なお、元利継続は、例えば、利息を元金に組み入れて新たな定期預金を自動継続にて契約する場合を指し、元本継続は、例えば、利息を普通預金口座に入金し、元金のみで新たな定期預金を自動継続にて契約する場合を指す。また、利息の取扱は、普通預金および貯蓄預金の場合には、所定日に入金とし、例えば２月と８月の所定の利盛日に半年分の利息が入金されるものとする。「課税方式」は、商品の利息にかかる所得税の課税方式を示し、例えば、定期預金の場合には、源泉分離課税となり金融機関が所得税を源泉徴収する。また、課税方式は、例えば、上場株式等の配当等の場合には、申告分離課税となる。「預入日」は、商品を預け入れた日、普通預金口座の口座開設日、または貯蓄預金口座の口座開設日を示す。「満期日」は、預入期間のある商品の満期日を示す。
【００５２】
図１３の５行目の例では、顧客番号「１１１Ｕ００１」の顧客について、商品名「貯蓄預金」の口座が、取引店「１９１−インターネット支店」に口座番号「１２３４５６７」で開設され、「２０，０１０，０００」円が預け入れられている。また、当該貯蓄預金は、金利が「０．０２０％」、利息の取扱が「所定日に入金」、課税方式が「源泉分離課税」、預入日が「２０１３年３月２５日」となっている。
【００５３】
図１の説明に戻って、制御部２３０は、例えば、ＣＰＵやＭＰＵ等によって、内部の記憶装置に記憶されているプログラムがＲＡＭを作業領域として実行されることにより実現される。また、制御部２３０は、例えば、ＡＳＩＣやＦＰＧＡ等の集積回路により実現されるようにしてもよい。制御部２３０は、受付部２３１を有し、以下に説明する情報処理の機能や作用を実現または実行する。なお、制御部２３０の内部構成は、図１に示した構成に限られず、後述する情報処理を行う構成であれば他の構成であってもよい。
【００５４】
受付部２３１は、通信部２１０を介して、ＩＢサーバ１００から照会情報を受信すると、元帳記憶部２２１から照会情報に対応する口座情報を取得する。受付部２３１は、取得した口座情報を、通信部２１０を介してＩＢサーバ１００に送信する。また、受付部２３１は、通信部２１０を介して、ＩＢサーバ１００から取引情報を受信すると、受信した取引情報を元帳記憶部２２１に記憶する。すなわち、受付部２３１は、取引情報に基づいて、貯蓄預金口座を開設し、指定された振替金額を普通預金口座から貯蓄預金口座に振り替える。受付部２３１は、取引情報を元帳記憶部２２１に記憶すると、取引の完了を示す完了情報を、通信部２１０を介してＩＢサーバ１００に送信する。
【００５５】
次に、実施例の処理システム１の動作について説明する。まず、貯金箱を開設して目標金額等を設定する設定処理について説明する。図１４は、実施例の設定処理の一例を示すフローチャートである。ＩＢサーバ１００の受付部１３１は、クライアント端末１０からＩＢのログインを受け付け、ＩＢの初期画面をクライアント端末１０に送信する。受付部１３１は、ユーザによるＩＢの初期画面の操作によって、貯金箱が選択されると、貯金箱の初期画面をクライアント端末１０に送信する（ステップＳ１）。ここで、貯金箱の初期画面は、例えば、図３に示す初期画面３１である。
【００５６】
次に、受付部１３１は、クライアント端末１０から貯金箱の初期画面における初期設定情報を受信する。管理部１３２は、受付部１３１から初期設定情報が入力されると、貯蓄預金口座内に初期設定情報に対応する仮想口座、すなわち貯金箱を生成し、各貯金箱に目標と、目標金額と、目標期限とを設定する。また、管理部１３２は、目標に応じたアイコンを設定する。管理部１３２は、初期設定情報を反映した貯金箱が含まれる設定画面を生成し、生成した設定画面をクライアント端末１０に送信する（ステップＳ２）。ここで、初期設定情報を反映した設定画面は、例えば、図４に示す設定画面３６である。
【００５７】
受付部１３１は、クライアント端末１０から、貯金箱に預け入れる額の指定を受信する。そして、受信した情報を管理部１３２に出力する。（ステップＳ３）。管理部１３２は、受付部１３１から預け入れ額が入力されると、勘定系システム３と連携して、預け入れ額を普通預金口座から貯蓄預金口座へ振り替える（ステップＳ４）。勘定系システム３による振替処理の完了が確認できると、管理部１３２は、貯金箱に対する預け入れを反映した設定画面をクライアント端末１０に送信する（ステップＳ５）。ここで、貯金箱に対する預け入れを反映した設定画面は、例えば、図５に示す設定画面４２である。これにより、ＩＢサーバ１００は、貯蓄預金口座に、仮想口座である貯金箱を設定し、各貯金箱に預金を振り分けて管理することができる。
【００５８】
次に、貯蓄預金口座の利息を算出する利息算出処理について説明する。図１５は、実施例の利息算出処理の一例を示すフローチャートである。ＩＢサーバ１００の取得部１３３は、受付部１３１がクライアント端末１０からＩＢのログインを受け付けると、ログインしたユーザが開設済みの口座情報を照会する照会情報を、勘定系サーバ２００に送信する。取得部１３３は、勘定系サーバ２００から照会情報に対応する口座情報、すなわち貯蓄預金口座の預金総額を受信する（ステップＳ１１）。取得部１３３は、受信した貯蓄預金口座の預金総額を差分算出部１３４に出力する。
【００５９】
差分算出部１３４は、続いて、仮想口座記憶部１２１から仮想口座の預金額の合計を取得する。そして、差分算出部１３４は、貯蓄預金口座に対応する仮想口座の預金額の合計と、取得部１３３により取得された貯蓄預金口座の預金総額、すなわち勘定系サーバ２００から受信した貯蓄預金口座の預金総額との差分額を算出する（ステップＳ１２）。算出された差分額は、勘定系サーバ２００において貯蓄預金口座に対して付与された利息額に相当する。
【００６０】
差分算出部１３４は、算出した差分額を、仮想口座記憶部１２１の当該貯蓄預金口座に対応する利息の仮想口座に記憶する（ステップＳ１３）。これにより、ＩＢサーバ１００は、貯蓄預金口座の利息額を算出することができる。
【００６１】
続いて、利息額または設定済みの貯金箱に対する増額指示に基づく増額分を貯金箱に入金する組み入れ処理について説明する。図１６は、実施例の組み入れ処理の一例を示すフローチャートである。ＩＢサーバ１００の受付部１３１は、クライアント端末１０からＩＢのログインを受け付ける。受付部１３１は、ログイン後にＩＢの初期画面をクライアント端末１０に送信する。受付部１３１は、ユーザによるＩＢの初期画面の操作によって、貯金箱が選択されると、設定画面をクライアント端末１０に送信するように管理部１３２に指示する。管理部１３２は、クライアント端末１０に現在の貯蓄預金口座の情報を反映した設定画面を送信する（ステップＳ２１）。ここで、現在の貯蓄預金口座の情報を反映した設定画面は、例えば、図７に示す設定画面４５である。
【００６２】
受付部１３１は、利息額の組み入れ指示または増額指示をクライアント端末１０から受信する（ステップＳ２２）。例えば、図７に示す設定画面４５においてアイコン３５ａがクリックされると、ＩＢサーバ１００は、図８に示す指示画面４６をクライアント端末１０に表示させ、指示欄４７に目標を表示させる。受付部１３１は、指示画面４６の指示欄４７に表示された目標のうち、ユーザにより選択された目標に対応する貯金箱に利息額を組み入れる組み入れ指示を、クライアント端末１０から受信して受け付ける。また、受付部１３１は、例えば、ユーザにより入力された増額指示を、クライアント端末１０から受信して受け付ける。なお、増額指示は、例えば、設定画面４５において、貯金する旨のボタン３９が押下されて表示される入力フィールドに金額が入力されることで生成される。受付部１３１は、クライアント端末１０から組み入れ指示または増額指示を受信すると、受信した組み入れ指示または増額指示を更新部１３５に出力する。
【００６３】
更新部１３５は、受付部１３１から組み入れ指示または増額指示が入力されると、組み入れ指示または増額指示で指定された仮想口座に、利息額または増額分を加算する（ステップＳ２３）。加算後の設定画面は、例えば、図９に示す設定画面４８である。更新部１３５は、利息額の加算、つまり貯金箱への組み入れが完了すると、仮想口座記憶部１２１の利息額、すなわち利息の仮想口座の残高をゼロにする。また、更新部１３５は、受付部１３１から増額指示が入力されると、増額指示で指定された金額を勘定系システム３と連携して普通預金口座から貯蓄預金口座に振り替える処理を実行し、勘定系システム３による振り替え処理が完了すると、増額指示で指定された仮想口座に加算、つまり貯金箱に入金することで、仮想口座記憶部１２１の情報を更新する。
【００６４】
更新部１３５は、利息額または増額分の入金に基づいて、目標金額に達した仮想口座があるか否かを判定する（ステップＳ２４）。更新部１３５は、目標金額に達した仮想口座がない場合には（ステップＳ２４：否定）、利息額または増額分の入金に応じて設定画面を更新し（ステップＳ２５）、組み入れ処理を終了する。更新部１３５は、目標金額に達した仮想口座がある場合には（ステップＳ２４：肯定）、設定画面で目標金額に達した旨を表示させた後に、出力制御部１３６にイベント情報を出力する。ここで、目標金額に達した旨を表示する設定画面は、例えば、図１０に示す設定画面４９である。
【００６５】
出力制御部１３６は、更新部１３５からイベント情報が入力されると、所定の描画イベントを発生させる。出力制御部１３６は、所定の描画イベントに対応する第１イベント画面を、クライアント端末１０に送信する。また、出力制御部１３６は、第１イベント画面の送信後に、貯金箱に設定されたアイコンを用いた所定の表示イベントを発生させる。なお、図示しないが、各貯金箱と対応付けて、貯金箱それぞれの目標に応じたアイコンが記憶されているものとする。出力制御部１３６は、所定の表示イベントに対応する第２イベント画面を、クライアント端末１０に送信し（ステップＳ２６）、組み入れ処理を終了する。ここで、第１イベント画面は、例えば、図１１に示すイベント画面５１であり、第２イベント画面は、例えば、図１２に示すイベント画面５３である。これにより、ＩＢサーバ１００は、利息額または増額分が１つの仮想口座に入金されることで、１の預金口座を便宜上複数Ｎ個の額に区分して管理する区分管理を適用する場合に、その１つの預金口座に対する利息についても区分管理を適用可能とする。また、ＩＢサーバ１００は、目標金額を達成できたことを示すイベントを提供できる。
【００６６】
なお、上記実施例では、受付部１３１、管理部１３２および更新部１３５が、それぞれ初期画面、設定画面および指示画面等をクライアント端末１０に送信したが、これに限定されない。例えば、受付部１３１、管理部１３２および更新部１３５から画面を生成するための情報を出力制御部１３６に出力し、出力制御部１３６で画面を生成してクライアント端末１０に送信するようにしてもよい。
【００６７】
このように、ＩＢサーバ１００は、特定の預金口座における預金額をＮ個の額に区分して管理する。また、ＩＢサーバ１００は、特定の預金口座における預金額に預金額に基づいて算出された利息額を組み入れるとともに、利息額に対応する額を区分して管理されるＮ個の額のいずれに組み入れるかの選択を受け付ける。その結果、１の預金口座を便宜上複数Ｎ個の額に区分して管理する区分管理を適用する場合に、その１つの預金口座に対する利息についても区分管理を適用可能とする。また別の側面では、仮想口座ごとに利息額を算出することはないので、預金額を複数に区分したときの利息の算出処理に関わる負荷を増加させる必要を生じさせない。
【００６８】
また、ＩＢサーバ１００では、Ｎ個の額の区分は、通信回線を介して接続されたコンピュータであるクライアント端末１０からの指示に応じて生成される。その結果、クライアント端末１０のユーザが預金額をＮ個に区分できる。
【００６９】
また、ＩＢサーバ１００は、通信回線を介して接続されたコンピュータであるクライアント端末１０からの指示に応じて、Ｎ個の額の区分のそれぞれに目標金額を設定する。また、ＩＢサーバ１００は、Ｎ個の額の区分のそれぞれにおける追加の増額指示または利息額の組み入れによって設定された目標金額に達した区分の検出に応じて所定の描画イベントを発生させる。その結果、目標金額を達成できたことを示すイベントを提供できる。
【００７０】
また、ＩＢサーバ１００は、通信回線を介して接続されたコンピュータであるクライアント端末１０からの指示に応じて、Ｎ個の額の区分のそれぞれに目標金額と、アイコンとを設定する。また、ＩＢサーバ１００は、Ｎ個の額の区分のそれぞれにおける追加の増額指示または利息額の組み入れによって設定された到達目標金額に達した区分が存在する場合に、該区分に設定されたアイコンを用いた所定の表示イベントの発生を許容する。その結果、目標金額を達成できたことを示すイベントを提供できる。
【００７１】
また、ＩＢサーバ１００は、銀行の勘定系システム３と通信可能に接続された情報処理システム２を構成する。また、ＩＢサーバ１００は、１の口座と対応付けて、仮想的な１以上の仮想口座を記憶するとともに、１以上の該仮想口座ごとに預金額を対応付けて記憶する。また、ＩＢサーバ１００は、１の口座の預金総額を勘定系システム３から受信する。また、ＩＢサーバ１００は、１の口座と対応付けて記憶している１以上の仮想口座の預金額の合計と、勘定系システム３から受信した１の口座の預金総額との差分額を、１の口座と対応づけられた、１以上の仮想口座とは異なる第二の仮想口座と対応付けて記憶する。その結果、容易に利息額を算出できる。
【００７２】
また、ＩＢサーバ１００は、さらに、第二の仮想口座と対応付けられた額に対する、１以上の仮想口座のうちのいずれか１の仮想口座への移動に関する指示を受け付ける。また、ＩＢサーバ１００は、指示に示される１の仮想口座と対応付けて記憶している預金額に、第二の仮想口座と対応づけられた額を加算するとともに、第二の仮想口座の額をゼロに更新する処理を実行する。その結果、利息額を任意の仮想口座に加算できる。
【００７３】
また、ＩＢサーバ１００は、１の口座と対応付けられた、仮想的な１以上の仮想口座の個々に１対１に対応付けられたアイコンを、選択的な指定を受付可能な状態で配置する。また、ＩＢサーバ１００は、該１の口座に対する利息額と対応付けた、仮想口座と対応付けられたアイコンとは異なる第二のアイコンを配置した画面を生成して出力する。また、ＩＢサーバ１００は、第二のアイコンと、仮想口座と対応付けられたアイコンのうちのいずれか１のアイコンとの指定を受け付ける。また、ＩＢサーバ１００は、指定を受け付けた１のアイコンと対応付けられた仮想口座の預金額に、利息額を加算して更新するとともに、第二のアイコンと対応付けられた利息額をゼロに更新する。その結果、簡単な操作によって利息額を任意の仮想口座に加算できる。
【００７４】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、取得部１３３と差分算出部１３４とを統合してもよい。また、例えば、管理部１３２と更新部１３５とを統合してもよい。
【００７５】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００７６】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１７は、管理プログラムを実行するコンピュータの一例を示す図である。なお、管理プログラムは、預金額の区分管理プログラムおよび預金管理プログラムのうち１つ以上のプログラムを含む。
【００７７】
図１７が示すように、コンピュータ３００は、各種演算処理を実行するＣＰＵ３０１と、データ入力を受け付ける入力装置３０２と、モニタ３０３とを有する。また、コンピュータ３００は、記憶媒体からプログラム等を読み取る媒体読取装置３０４と、各種装置と接続するためのインタフェース装置３０５と、他の情報処理装置等と有線または無線により接続するための通信装置３０６とを有する。また、コンピュータ３００は、各種情報を一時記憶するＲＡＭ３０７と、ハードディスク装置３０８とを有する。また、各装置３０１〜３０８は、バス３０９に接続される。
【００７８】
ハードディスク装置３０８には、図１に示した受付部１３１、管理部１３２、取得部１３３、差分算出部１３４、更新部１３５および出力制御部１３６の各処理部と同様の機能を有する管理プログラムが記憶される。また、ハードディスク装置３０８には、仮想口座記憶部１２１、および、管理プログラムを実現するための各種データが記憶される。入力装置３０２は、例えば、コンピュータ３００の管理者から管理情報等の各種情報の入力を受け付ける。モニタ３０３は、例えば、コンピュータ３００の管理者に対して管理情報の画面や各種画面を表示する。インタフェース装置３０５は、例えば印刷装置等が接続される。通信装置３０６は、例えば、図１に示した第１通信部１１０と同様の機能を有しネットワークＮと接続される。また、通信装置３０６は、第２通信部１１１と同様の機能を有し勘定系サーバ２００と接続される。通信装置３０６は、クライアント端末１０、運用管理端末２０、勘定系サーバ２００や他の装置と各種情報をやりとりする。
【００７９】
ＣＰＵ３０１は、ハードディスク装置３０８に記憶された各プログラムを読み出して、ＲＡＭ３０７に展開して実行することで、各種の処理を行う。また、これらのプログラムは、コンピュータ３００を図１に示した受付部１３１、管理部１３２、取得部１３３、差分算出部１３４、更新部１３５および出力制御部１３６として機能させることができる。
【００８０】
なお、上記の管理プログラムは、必ずしもハードディスク装置３０８に記憶されている必要はない。例えば、コンピュータ３００が読み取り可能な記憶媒体に記憶されたプログラムを、コンピュータ３００が読み出して実行するようにしてもよい。コンピュータ３００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの管理プログラムを記憶させておき、コンピュータ３００がこれらから管理プログラムを読み出して実行するようにしてもよい。
【００８１】
以上、本実施例を含む実施の形態に関し、さらに以下の付記を開示する。
【００８２】
（付記１）特定の預金口座における預金額をＮ個の額に区分して管理し、
前記特定の預金口座における預金額に前記預金額に基づいて算出された利息額を組み入れるとともに、前記利息額に対応する額を区分して管理される前記Ｎ個の額のいずれに組み入れるかの選択を受け付ける、
処理を情報処理装置が実行することを特徴とする預金額の区分管理方法。
【００８３】
（付記２）前記Ｎ個の額の区分は、通信回線を介して接続されたコンピュータからの指示に応じて生成される、ことを特徴とする付記１に記載の預金額の区分管理方法。
【００８４】
（付記３）通信回線を介して接続されたコンピュータからの指示に応じて、前記Ｎ個の額の区分のそれぞれに目標金額を設定し、
前記Ｎ個の額の区分のそれぞれにおける追加の増額指示または前記利息額の組み入れによって設定された目標金額に達した区分の検出に応じて所定の描画イベントを発生させる、
ことを特徴とする付記１に記載の預金額の区分管理方法。
【００８５】
（付記４）通信回線を介して接続されたコンピュータからの指示に応じて、前記Ｎ個の額の区分のそれぞれに目標金額と、アイコンとを設定し、
前記Ｎ個の額の区分のそれぞれにおける追加の増額指示または前記利息額の組み入れによって設定された到達目標金額に達した区分が存在する場合に、該区分に設定されたアイコンを用いた所定の表示イベントの発生を許容する、
ことを特徴とする付記１に記載の預金額の区分管理方法。
【００８６】
（付記５）銀行の勘定系システムと通信可能に接続された情報処理システムが、
１の口座と対応付けて、仮想的な１以上の仮想口座を記憶するとともに、１以上の該仮想口座ごとに預金額を対応付けて記憶し、
前記１の口座の預金総額を勘定系システムから受信し、
前記１の口座と対応付けて記憶している１以上の仮想口座の預金額の合計と、前記勘定系システムから受信した前記１の口座の預金総額との差分額を、前記１の口座と対応づけられた、前記１以上の仮想口座とは異なる第二の仮想口座と対応付けて記憶する、
処理を実行することを特徴とする預金管理方法。
【００８７】
（付記６）前記情報処理システムが、さらに、
前記第二の仮想口座と対応付けられた額に対する、前記１以上の仮想口座のうちのいずれか１の仮想口座への移動に関する指示を受け付け、
前記指示に示される１の仮想口座と対応付けて記憶している預金額に、前記第二の仮想口座と対応づけられた額を加算するとともに、前記第二の仮想口座の額をゼロに更新する処理を実行することを特徴とする付記５に記載の預金管理方法。
【００８８】
（付記７）１の口座と対応付けられた、仮想的な１以上の仮想口座の個々に１対１に対応付けられたアイコンを、選択的な指定を受付可能な状態で配置するとともに、該１の口座に対する利息額と対応付けた、前記仮想口座と対応付けられたアイコンとは異なる第二のアイコンを配置した画面を生成して出力し、
前記第二のアイコンと、前記仮想口座と対応付けられたアイコンのうちのいずれか１のアイコンとの指定を受け付け、
指定を受け付けた前記１のアイコンと対応付けられた仮想口座の預金額に、前記利息額を加算して更新するとともに、前記第二のアイコンと対応付けられた利息額をゼロに更新する、
処理をコンピュータが実行することを特徴とする預金管理方法。
【００８９】
（付記８）特定の預金口座における預金額をＮ個の額に区分して管理し、
前記特定の預金口座における預金額に前記預金額に基づいて算出された利息額を組み入れるとともに、前記利息額に対応する額を区分して管理される前記Ｎ個の額のいずれに組み入れるかの選択を受け付ける、
処理を情報処理装置に実行させることを特徴とする預金額の区分管理プログラム。
【００９０】
（付記９）前記Ｎ個の額の区分は、通信回線を介して接続されたコンピュータからの指示に応じて生成される、ことを特徴とする付記８に記載の預金額の区分管理プログラム。
【００９１】
（付記１０）通信回線を介して接続されたコンピュータからの指示に応じて、前記Ｎ個の額の区分のそれぞれに目標金額を設定し、
前記Ｎ個の額の区分のそれぞれにおける追加の増額指示または前記利息額の組み入れによって設定された目標金額に達した区分の検出に応じて所定の描画イベントを発生させる、
ことを特徴とする付記８に記載の預金額の区分管理プログラム。
【００９２】
（付記１１）通信回線を介して接続されたコンピュータからの指示に応じて、前記Ｎ個の額の区分のそれぞれに目標金額と、アイコンとを設定し、
前記Ｎ個の額の区分のそれぞれにおける追加の増額指示または前記利息額の組み入れによって設定された到達目標金額に達した区分が存在する場合に、該区分に設定されたアイコンを用いた所定の表示イベントの発生を許容する、
ことを特徴とする付記８に記載の預金額の区分管理プログラム。
【００９３】
（付記１２）銀行の勘定系システムと通信可能に接続された情報処理システムに、
１の口座と対応付けて、仮想的な１以上の仮想口座を記憶するとともに、１以上の該仮想口座ごとに預金額を対応付けて記憶し、
前記１の口座の預金総額を勘定系システムから受信し、
前記１の口座と対応付けて記憶している１以上の仮想口座の預金額の合計と、前記勘定系システムから受信した前記１の口座の預金総額との差分額を、前記１の口座と対応づけられた、前記１以上の仮想口座とは異なる第二の仮想口座と対応付けて記憶する、
処理を実行させることを特徴とする預金管理プログラム。
【００９４】
（付記１３）前記預金管理プログラムは、さらに、
前記第二の仮想口座と対応付けられた額に対する、前記１以上の仮想口座のうちのいずれか１の仮想口座への移動に関する指示を受け付け、
前記指示に示される１の仮想口座と対応付けて記憶している預金額に、前記第二の仮想口座と対応づけられた額を加算するとともに、前記第二の仮想口座の額をゼロに更新する処理を情報処理システムに実行させることを特徴とする付記１２に記載の預金管理プログラム。
【００９５】
（付記１４）１の口座と対応付けられた、仮想的な１以上の仮想口座の個々に１対１に対応付けられたアイコンを、選択的な指定を受付可能な状態で配置するとともに、該１の口座に対する利息額と対応付けた、前記仮想口座と対応付けられたアイコンとは異なる第二のアイコンを配置した画面を生成して出力し、
前記第二のアイコンと、前記仮想口座と対応付けられたアイコンのうちのいずれか１のアイコンとの指定を受け付け、
指定を受け付けた前記１のアイコンと対応付けられた仮想口座の預金額に、前記利息額を加算して更新するとともに、前記第二のアイコンと対応付けられた利息額をゼロに更新する、
処理をコンピュータに実行させることを特徴とする預金管理プログラム。
【００９６】
（付記１５）特定の預金口座における預金額をＮ個の額に区分して管理する管理部と、
前記特定の預金口座における預金額に前記預金額に基づいて算出された利息額を組み入れるとともに、前記利息額に対応する額を区分して管理される前記Ｎ個の額のいずれに組み入れるかの選択を受け付ける受付部と、
を有することを特徴とする情報処理装置。
【００９７】
（付記１６）前記Ｎ個の額の区分は、通信回線を介して接続されたコンピュータからの指示に応じて生成される、ことを特徴とする付記１５に記載の情報処理装置。
【００９８】
（付記１７）前記管理部は、通信回線を介して接続されたコンピュータからの指示に応じて、前記Ｎ個の額の区分のそれぞれに目標金額を設定し、
さらに、前記Ｎ個の額の区分のそれぞれにおける追加の増額指示または前記利息額の組み入れによって設定された目標金額に達した区分の検出に応じて所定の描画イベントを発生させる更新部、
を有することを特徴とする付記１５に記載の情報処理装置。
【００９９】
（付記１８）前記管理部は、通信回線を介して接続されたコンピュータからの指示に応じて、前記Ｎ個の額の区分のそれぞれに目標金額と、アイコンとを設定し、
さらに、前記Ｎ個の額の区分のそれぞれにおける追加の増額指示または前記利息額の組み入れによって設定された到達目標金額に達した区分が存在する場合に、該区分に設定されたアイコンを用いた所定の表示イベントの発生を許容する更新部、
を有することを特徴とする付記１５に記載の情報処理装置。
【０１００】
（付記１９）銀行の勘定系システムと通信可能に接続された情報処理装置であって、
１の口座の預金総額を勘定系システムから受信する取得部と、
前記１の口座と対応付けて、仮想的な１以上の仮想口座を記憶するとともに、１以上の該仮想口座ごとに預金額を対応付けて記憶している記憶部における、前記１以上の仮想口座の預金額の合計と、前記勘定系システムから受信した前記１の口座の預金総額との差分額を、前記１の口座と対応づけられた、前記１以上の仮想口座とは異なる第二の仮想口座と対応付けて記憶する差分算出部と、
を有することを特徴とする情報処理装置。
【０１０１】
（付記２０）前記情報処理装置は、さらに、
前記第二の仮想口座と対応付けられた額に対する、前記１以上の仮想口座のうちのいずれか１の仮想口座への移動に関する指示を受け付ける受付部と、
前記指示に示される１の仮想口座と対応付けて記憶している預金額に、前記第二の仮想口座と対応づけられた額を加算するとともに、前記第二の仮想口座の額をゼロに更新する更新部と、
を有することを特徴とする付記１９に記載の情報処理装置。
【０１０２】
（付記２１）１の口座と対応付けられた、仮想的な１以上の仮想口座の個々に１対１に対応付けられたアイコンを、選択的な指定を受付可能な状態で配置するとともに、該１の口座に対する利息額と対応付けた、前記仮想口座と対応付けられたアイコンとは異なる第二のアイコンを配置した画面を生成して出力する出力制御部と、
前記第二のアイコンと、前記仮想口座と対応付けられたアイコンのうちのいずれか１のアイコンとの指定を受け付ける受付部と、
指定を受け付けた前記１のアイコンと対応付けられた仮想口座の預金額に、前記利息額を加算して更新するとともに、前記第二のアイコンと対応付けられた利息額をゼロに更新する更新部と、
を有することを特徴とする情報処理装置。
【符号の説明】
【０１０３】
１  処理システム
２  情報処理システム
３  勘定系システム
１０  クライアント端末
２０  運用管理端末
１００  ＩＢサーバ
１１０  第１通信部
１１１  第２通信部
１２０  記憶部
１２１  仮想口座記憶部
１３０  制御部
１３１  受付部
１３２  管理部
１３３  取得部
１３４  差分算出部
１３５  更新部
１３６  出力制御部
２００  勘定系サーバ
２１０  通信部
２２０  記憶部
２２１  元帳記憶部
２３０  制御部
２３１  受付部
Ｎ  ネットワーク
【図１】
2016126499.tif 000003
【図２】
2016126499.tif 000004
【図３】
2016126499.tif 000005
【図４】
2016126499.tif 000006
【図５】
2016126499.tif 000007
【図６】
2016126499.tif 000008
【図７】
2016126499.tif 000009
【図８】
2016126499.tif 000010
【図９】
2016126499.tif 000011
【図１０】
2016126499.tif 000012
【図１１】
2016126499.tif 000013
【図１２】
2016126499.tif 000014
【図１３】
2016126499.tif 000015
【図１４】
2016126499.tif 000016
【図１５】
2016126499.tif 000017
【図１６】
2016126499.tif 000018
【図１７】
2016126499.tif 000019